(57)【特許請求の範囲】
【請求項１】
端末装置と無線通信をする複数の基地局装置と、前記複数の基地局装置と接続されている管理サーバとを具備する無線通信システムであって、
前記基地局装置は、
前記端末装置の送信電力を決定する送信電力パラメータの現在の設定値を用いたときの前記端末装置の送信電力の推定値である第１推定送信電力と、前記設定値と異なる前記送信電力パラメータの候補値を用いたときの前記端末装置の送信電力の推定値である第２推定送信電力との差を算出し、算出した差と、前記設定値を用いたときに測定した前記端末装置からの受信電力とを加算して推定受信電力を算出する受信電力推定部と、
自装置と無線通信をしている前記端末装置と自装置に隣接する他の前記基地局装置との間のパスロスと、前記第１推定送信電力及び前記第２推定送信電力とに基づいて、前記他の基地局装置における推定干渉電力を算出する干渉電力推定部と
を備え、
前記管理サーバは、
前記基地局装置ごとに、該基地局装置において算出された推定受信電力と、該基地局装置に隣接する前記基地局装置において算出された該基地局装置に対する推定干渉電力とから該基地局装置における前記端末装置との通信品質を算出する通信品質推定部
を備えている
ことを特徴とする無線通信システム。
【請求項２】
前記基地局装置は、更に、
自装置と無線通信をしている前記端末装置から通知される測定結果報告であって、自装置に隣接する前記基地局装置から受信する信号の受信電力を示す測定結果報告に基づいて、該測定結果報告を送信した前記端末装置を前記パスロスの計算対象とするか否かを判定し、前記測定結果報告に基づいて前記パスロスを算出するパスロス推定部
を備えていることを特徴とする請求項１に記載の無線通信システム。
【請求項３】
前記基地局装置は、更に、
前記設定値に応じて割り当てられた無線リソースを示す割当情報と、前記設定値とに基づいて前記第１推定送信電力を算出するとともに、前記割当情報と、前記候補値とに基づいて前記第２推定送信電力を算出する送信電力推定部
を備えていることを特徴とする請求項１又は請求項２のいずれかに記載の無線通信システム。
【請求項４】
前記基地局装置は、更に、
自装置と前記端末装置との過去の通信における、前記端末装置の通信の状態を示す端末情報と、前記割当情報と、送信電力パラメータとの対応関係から、前記候補値に対応する無線リソースの割り当てを算出する割当情報補正部を備え、
前記送信電力推定部は、前記割当情報補正部が算出する無線リソースの割り当てを用いて前記第２推定送信電力を算出する
ことを特徴とする請求項３に記載の無線通信システム。
【請求項５】
前記割当情報補正部は、
自装置と前記端末装置との無線通信の混雑度合を示す指標が予め定めたしきい値以上である場合、前記割当情報を前記候補値に対応する無線リソースの割り当てとして算出する
ことを特徴とする請求項４に記載の無線通信システム。
【請求項６】
前記通信品質推定部は、
前記基地局装置ごとに、当該基地局装置において測定された干渉電力に対して、当該基地局装置に隣接する前記基地局装置において前記干渉電力推定部が前記第１推定送信電力に基づいて算出した推定干渉電力と、前記干渉電力推定部が前記第２推定送信電力に基づいて算出した推定干渉電力との差を加算して干渉電力の推定値を算出し、算出した推定値を用いて通信品質を算出する
ことを特徴とする請求項１から請求項５のいずれか一項に記載の無線通信システム。
【発明の詳細な説明】
【技術分野】
【０００１】
本発明は、無線通信システムに関する。
【背景技術】
【０００２】
携帯電話の通信規格の一つであるＬＴＥ（Long Term Evolution）において、各端末装置から基地局装置への上りデータチャネル（ＰＵＳＣＨ；Physical Uplink Shared Channel）の送信電力Ｐ＿ＰＵＳＣＨ［ｄＢｍ］は、次式（１）に従い決定される（非特許文献１）。
【０００３】
【数１】
0005378337.tif 000002
【０００４】
ここで、Ｐ＿ＣＭＡＸは、端末装置の最大送信電力である。Ｍ＿ＰＵＳＣＨは、基地局装置から当該端末装置に下り制御チャネル（ＰＤＣＣＨ；Physical Downlink Control Channel）にて通知される割当ＲＢ（Resource Block；リソースブロック）数である。Ｐ＿Ｏ＿ＮＯＭＩＮＡＬ＿ＰＵＳＣＨは、基地局装置からＲＲＣ（Radio Resource Control；無線リソース制御）メッセージにて端末装置に通知される上りリンクにおける送信電力の固定オフセットであり、基地局装置ごとに設定される。
【０００５】
Ｐ＿Ｏ＿ＵＥ＿ＰＵＳＣＨは、基地局装置からＲＲＣメッセージにて通知される端末装置の上りリンクにおける送信電力の固定オフセットであり、端末装置ごとに異なっていてもよい。αは、基地局装置からＲＲＣメッセージにて通知されるパスロスの補正係数である。ＰＬは、当該端末装置が推定したパスロスである。Δ＿ＴＦは、コードブロック等により決定される係数である。ｆは、基地局装置から当該端末装置に通知される送信電力コマンドである。また、係数Δ＿ＴＦ、送信電力コマンドｆは、基地局装置から端末装置にＰＤＣＣＨにより通知される情報に基づいて算出される。
補正係数αと、固定オフセットＰ＿Ｏ＿ＮＯＭＩＮＡＬ＿ＰＵＳＣＨなどは、基地局単位で設定される。
【０００６】
また、端末装置は、定期的に、もしくは特定の条件を満たしたときに、端末装置が測定した接続している基地局装置（以下、接続基地局装置）から受信する信号の受信電力情報と、接続している基地局装置以外の隣接する基地局装置から受信する信号の受信電力情報とを接続している基地局装置に通知する。この通知は、ＭＲ情報（Measurement Report；）と呼ばれ、主にハンドオーバの条件判定に使用される（非特許文献２）。
【先行技術文献】
【非特許文献】
【０００７】
【非特許文献１】３ＧＰＰ  ＴＳ３６．２１３  ｖ９．２．０  ２０１０−０６
【非特許文献２】３ＧＰＰ  ＴＳ３６．３３１  ｖ９．３．０  ２０１０−０６
【発明の概要】
【発明が解決しようとする課題】
【０００８】
補正係数αと、固定オフセットＰ＿Ｏ＿ＮＯＭＩＮＡＬ＿ＰＵＳＣＨ等の送信電力パラメータは、基地局装置ごとに異なる値を設定できるので、接続基地局装置に設定される送信電力パラメータの設定に応じて、各端末装置の送信電力が変化する。そして、ある基地局装置において送信電力パラメータを変化させると、接続している端末装置からの受信電力が変化するとともに、当該基地局装置に隣接する基地局装置における当該端末装置からの受信電力（干渉電力）も変化する。
【０００９】
そのため、影響を及ぼしあう複数の基地局装置のパラメータを同時に変更する場合、特性の変化を推測することが難しかった。すなわち、隣接する基地局装置において送信電力パラメータを同時に変更する場合、接続している端末装置からの受信電力と、接続していない端末装置からの干渉電力とが共に変化するので、特性の変化を推測することが難しかった。
【００１０】
一般的には、上記の解法として、計算機シミュレーションにより、ユーザ配置、伝搬路、トラヒック分布、基地局配置などを模擬し、パラメータの変更による通信品質を推定する方法、または、これらを定式化し、通信品質を推定する方法などが考えられる。
しかしながら、計算機シミュレーションの結果を実際に運用するシステムに適用する場合、時系列で変動するユーザ配置、伝搬路、トラヒック分布などを正確に模擬／定式化することが難しく、通信品質の推定精度が低くなってしまう場合があった。
【００１１】
また、上記の方法は、計算機シミュレーションでは予め想定された環境における推定を行うものであるため、想定外の干渉（パラメータを管理できない不明の基地局装置や、違法電波などによる干渉）が存在する場合にも通信品質の推定精度が低くなってしまう場合があった。
すなわち、各基地局装置において、接続している端末装置からの受信電力を推定した推定受信電力と、接続していない端末装置などからの干渉電力を推定した推定干渉電力との精度が低くなることがあり、上りリンクの通信品質の推定精度が十分でない場合があった。
【００１２】
本発明は、上記問題を解決すべくなされたもので、その目的は、上りリンクの通信品質の推定精度を向上させることができる無線通信システムを提供することにある。
【課題を解決するための手段】
【００１３】
上記問題を解決するために、本発明は、端末装置と無線通信をする複数の基地局装置と、前記複数の基地局装置と接続されている管理サーバとを具備する無線通信システムであって、前記基地局装置は、前記端末装置の送信電力を決定する送信電力パラメータの現在の設定値を用いたときの前記端末装置の送信電力の推定値である第１推定送信電力と、前記設定値と異なる前記送信電力パラメータの候補値を用いたときの前記端末装置の送信電力の推定値である第２推定送信電力との差を算出し、算出した差と、前記設定値を用いたときに測定した前記端末装置からの受信電力とを加算して推定受信電力を算出する受信電力推定部と、自装置と無線通信をしている前記端末装置と自装置に隣接する他の前記基地局装置との間のパスロスと、前記第１推定送信電力及び前記第２推定送信電力とに基づいて、前記他の基地局装置における推定干渉電力を算出する干渉電力推定部とを備え、前記管理サーバは、前記基地局装置ごとに、該基地局装置において算出された推定受信電力と、該基地局装置に隣接する前記基地局装置において算出された該基地局装置に対する推定干渉電力とから該基地局装置における前記端末装置との通信品質を算出する通信品質推定部を備えていることを特徴とする無線通信システムである。
【００１４】
また、本発明は、上記に記載の発明において、前記基地局装置は、更に、自装置と無線通信をしている前記端末装置から通知される測定結果報告であって、自装置に隣接する前記基地局装置から受信する信号の受信電力を示す測定結果報告に基づいて、該測定結果報告を送信した前記端末装置を前記パスロスの計算対象とするか否かを判定し、前記測定結果報告に基づいて前記パスロスを算出するパスロス推定部を備えていることを特徴とする。
【００１５】
また、本発明は、上記に記載の発明において、前記基地局装置は、更に、前記設定値に応じて割り当てられた無線リソースを示す割当情報と、前記設定値とに基づいて前記第１推定送信電力を算出するとともに、前記割当情報と、前記候補値とに基づいて前記第２推定送信電力を算出する送信電力推定部を備えていることを特徴とする。
【００１６】
また、本発明は、上記に記載の発明において、前記基地局装置は、更に、自装置と前記端末装置との過去の通信における、前記端末装置の通信の状態を示す端末情報と、前記割当情報と、送信電力パラメータとの対応関係から、前記候補値に対応する無線リソースの割り当てを算出する割当情報補正部を備え、前記送信電力推定部は、前記割当情報補正部が算出する無線リソースの割り当てを用いて前記第２推定送信電力を算出することを特徴とする。
【００１７】
また、本発明は、上記に記載の発明において、前記割当情報補正部は、自装置と前記端末装置との無線通信の混雑度合を示す指標が予め定めたしきい値以上である場合、前記割当情報を前記候補値に対応する無線リソースの割り当てとして算出することを特徴とする。
【００１８】
また、本発明は、上記に記載の発明において、前記通信品質推定部は、前記基地局装置ごとに、当該基地局装置において測定された干渉電力に対して、当該基地局装置に隣接する前記基地局装置において前記干渉電力推定部が前記第１推定送信電力に基づいて算出した推定干渉電力と、前記干渉電力推定部が前記第２推定送信電力に基づいて算出した推定干渉電力との差を加算して干渉電力の推定値を算出し、算出した推定値を用いて通信品質を算出することを特徴とする。
【発明の効果】
【００１９】
この発明によれば、送信電力パラメータを変化させた場合の各基地局装置における推定受信電力と、推定干渉電力とを適切に算出することができ、各基地局装置の通信品質の推定精度を向上させることができる。
【図面の簡単な説明】
【００２０】
【図１】第１実施形態における無線通信システム１の構成を示す概略図である。
【図２】本実施形態における基地局装置１０の構成を示す概略ブロック図である。
【図３】割当情報の一例を示す図である。
【図４】干渉電力推定部１１６が算出する干渉電力の推定値の概要を示す図である。
【図５】本実施形態における基地局管理サーバ２０の構成を示す概略ブロック図である。
【図６】第２実施形態における基地局装置５０の構成を示す概略ブロック図である。
【図７】第３実施形態における基地局装置６０の構成を示す概略ブロック図である。
【図８】同実施形態における管理テーブルの一例を示す図である。
【図９】第４実施形態における基地局装置７０の構成を示す概略ブロック図である。
【発明を実施するための形態】
【００２１】
以下、図面を参照して、本発明の実施形態における無線通信システムを説明する。
【００２２】
（第１実施形態）
図１は、第１実施形態における無線通信システム１の構成を示す概略図である。
無線通信システム１は、複数の基地局装置１０と、各基地局装置１０と接続して無線通信をする端末装置３０と、各基地局装置１０とネットワーク４０を介して接続されている基地局管理サーバ２０とを具備している。
以下、基地局装置１０と端末装置３０とが、ＬＴＥ規格に従った無線通信を行う場合を例にして説明する。また、上りリンクの送信電力制御は、補正係数αと、固定オフセットＰ＿Ｏ＿ＮＯＭＩＮＡＬ＿ＰＵＳＣＨとを送信電力パラメータとして、補正係数αと、固定オフセットＰ＿Ｏ＿ＮＯＭＩＮＡＬ＿ＰＵＳＣＨとを変更することにより行うものとする。
【００２３】
本実施形態においては、各基地局装置１０は、端末装置３０から基地局装置１０への上りリンクにおける送信電力パラメータを変更する場合において、接続している端末装置３０から受信する信号の受信電力の推定値である推定受信電力を算出する。また、各基地局装置１０は、自装置に接続している端末装置３０から他の基地局装置１０が受ける干渉電力の推定値である推定干渉電力を算出する。
基地局管理サーバ２０は、各基地局装置１０において算出される推定受信電力と、推定干渉電力とを用いて、各基地局装置１０の送信電力パラメータを変更した場合における当該各基地局装置１０に接続している端末装置３０の推定通信品質を算出し、算出した推定通信品質に応じて各基地局装置１０の送信電力パラメータを変更する。
【００２４】
以下、基地局装置１０及び基地局管理サーバ２０の構成について説明する。
図２は、本実施形態における基地局装置１０の構成を示す概略ブロック図である。同図に示すように基地局装置１０は、送信電力パラメータを変更するときの推定受信電力及び推定干渉電力を算出する無線電力推定部１１と、端末装置３０と通信を行う無線通信部１２と、ネットワーク４０を介して他の基地局装置１０及び基地局管理サーバ２０と通信をするネットワーク通信部１３とを備えている。
【００２５】
無線電力推定部１１は、入力情報取得部１１１、設定候補記憶部１１２、送信電力推定部１１３、パスロス推定部１１４、受信電力推定部１１５、干渉電力推定部１１６を有している。
入力情報取得部１１１は、無線通信部１２から、又はネットワーク通信部１３を介して、推定受信電力及び推定干渉電力情報を算出に用いる各種の入力情報を取得する。入力情報としては、ＭＲ（Measurement Report；測定結果報告）情報、基地局送信電力情報、設定情報、割当情報、算出区間情報、自局パスロス情報、測定情報である。
ＭＲ情報は、端末装置３０が接続している基地局装置１０に通知する情報であり、端末装置３０が測定した受信電力を示す受信電力情報を含む情報である。この受信電力情報は、当該端末装置３０が接続している基地局装置１０から受信した信号の受信電力を示す情報と、当該端末装置３０が接続していない基地局装置１０から受信した信号の受信電力を示す情報とのうちいずれか一方、あるいは両方を含む。
【００２６】
基地局送信電力情報は、自装置の送信電力を示す送信電力情報と、隣接する基地局装置１０の送信電力を示す送信電力情報とを含む情報である。
設定情報は、現在、自装置において設定されている送信電力パラメータ（補正係数α、固定オフセットＰ＿Ｏ＿ＮＯＭＩＮＡＬ＿ＰＵＳＣＨ、固定オフセットＰ＿Ｏ＿ＵＥ＿ＰＵＳＣＨなど）を示す情報である。
割当情報は、上記の設定情報が設定された際の各サブフレームにおける端末装置３０それぞれの無線リソース（ＲＢ；Resource Block）の割当結果を示す情報であり、端末装置３０に割り当てられたＲＢの配置を示す配置情報、割り当てられたＲＢの数を示す割当ＲＢ数Ｍ＿ＰＵＳＣＨ、係数Δ＿ＴＦ、送信電力コマンドｆを含む情報である。
【００２７】
図３は、割当情報の一例を示す図である。配置情報、及び割当ＲＢ数Ｍ＿ＰＵＳＣＨは、同図に示すように算出区間Ｉにおいて設定情報に基づき割り当てられた無線リソース数を示す情報である。
【００２８】
図２に戻って、算出区間情報は、推定送信電力を算出する区間を示す予め定められた情報である。
自局パスロス情報は、無線通信部１２において、上記の割当情報を求める際に使用した自装置と、自装置と接続している端末装置との間のパスロスの推定値を示す情報である。
測定情報は、設定情報が示す送信電力パラメータが設定され、当該設定により無線リソース割当が行われたパケットを受信した各端末装置３０における当該パケットの受信電力値を示す情報である。
【００２９】
設定候補記憶部１１２は、各端末装置３０に通知する送信電力パラメータの組み合わせた複数の設定候補情報を予め記憶している。設定候補情報は、例えば、上りリンクにおける送信電力パラメータであるＰ＿Ｏ＿ＮＯＭＩＮＡＬ＿ＰＵＳＣＨの候補、αの候補、Ｐ＿Ｏ＿ＵＥ＿ＰＵＳＣＨの候補などの、基地局で設定できるパラメータの候補を組み合わせた情報である。
【００３０】
送信電力推定部１１３は、設定候補記憶部１１２に記憶されている設定候補情報と、入力情報取得部１１１から入力される設定情報、割当情報、算出区間情報、自局パスロス情報とに基づいて、設定情報が示す送信電力パラメータ（以下、設定値）から設定候補情報が示す送信電力パラメータ（以下、設定候補値）に変更した際における、自装置と接続している端末装置３０の送信電力の推定値（推定送信電力）を算出する。また、送信電力推定部１１３は、算出した各端末装置３０の送信電力の推定値と、当該推定値を算出した際の設定候補情報とを対応付けた推定送信電力情報を受信電力推定部１１５、及び干渉電力推定部１１６に出力する。ここで、送信電力推定部１１３が算出する推定送信電力は、設定情報が示す電力パラメータの組み合わせを設定した際の自装置と接続している端末装置３０それぞれの送信電力と、設定候補情報が示す送信電力パラメータの組み合わせごとに、当該送信電力パラメータの組み合わせを設定した際の自装置と接続している端末装置３０それぞれの送信電力とである。
【００３１】
送信電力推定部１１３における、具体的な算出方法を以下に示す。
算出区間情報が示す算出区間Ｉに含まれる各サブフレーム（ｉ）において、自装置（基地局装置１０（ｘ））と接続している端末装置３０であって、無線リソースを割り当てられた端末装置３０（ｕ）の推定送信電力Ｐ＿ＰＵＳＣＨ（ｘ，ｕ，ｉ）を次式（２）により算出する。推定送信電力Ｐ＿ＰＵＳＣＨ（ｘ，ｕ，ｉ）［ｄＢｍ］は、現在の送信電力パラメータである設定情報を設定した際の推定送信電力である。
ここで、ｘは、無線通信システム１における、いずれかの基地局装置１０を示し、ｕは、基地局装置１０（ｘ）と接続している端末装置３０のうちいずれかの端末装置３０を示す。また、ｉは、算出区間Ｉに含まれるサブフレームのうちのいずれかのサブフレームを示す。例えば、推定送信電力Ｐ＿ＰＵＳＣＨ（ｘ，ｕ，ｉ）は、基地局装置１０（ｘ）と接続している端末装置３０（ｕ）がサブフレーム（ｉ）における送信電力の推定値を示す。
【００３２】
【数２】
0005378337.tif 000003
【００３３】
同様に、算出区間情報が示す算出区間Ｉに含まれる各サブフレーム（ｉ）において、自装置（基地局装置１０（ｘ））と接続している端末装置３０であって、無線リソースを割り当てられた端末装置３０（ｕ）の推定送信電力Ｐ＿ＰＵＳＣＨ’（ｘ，ｕ，ｉ）を次式（３）により算出する。推定送信電力Ｐ’＿ＰＵＳＣＨ（ｘ，ｕ，ｉ）［ｄＢｍ］は、設定候補情報が示す送信電力パラメータを設定した際の推定送信電力である。
【００３４】
【数３】
0005378337.tif 000004
【００３５】
ここで、固定オフセットＰ＿Ｏ＿ＮＯＭＩＮＡＬ＿ＰＵＳＣＨ’、補正係数α’は、設定候補情報により示される固定オフセットＰ＿Ｏ＿ＮＯＭＩＮＡＬ＿ＰＵＳＣＨ、補正係数αの候補値である。
送信電力推定部１１３は、式（２）及び式（３）により算出した推定送信電力Ｐ＿ＰＵＳＣＨ（ｘ，ｕ，ｉ）、Ｐ＿ＰＵＳＣＨ’（ｘ，ｕ，ｉ）と、設定情報、設定候補情報とを対応付けた推定送信電力情報を受信電力推定部１１５、及び干渉電力推定部１１６に出力する。
【００３６】
パスロス推定部１１４は、入力情報取得部１１１から入力されるＭＲ情報、及び基地局送信電力情報に基づいて、自装置の近隣に配置されている基地局装置１０と、自装置と接続されている端末装置３０との間の伝搬損失を示すパスロス情報を出力する。また、パスロス推定部１１４は、自装置において取得されたＭＲ情報のうち、隣接する基地局装置１０からの受信電力情報を含むＭＲ情報を通知した端末装置３０を、パスロスを算出する対象の端末装置３０にする。
【００３７】
具体的には、パスロス推定部１１４は、次式（４）を用いて、端末装置３０のうちパスロスを算出する対象の端末装置３０（ｕ）と、隣接する基地局装置１０（ｙ）との間のパスロスＰＬ（ｙ，ｕ）［ｄＢ］を算出する。
【００３８】
【数４】
0005378337.tif 000005
【００３９】
ここで、Ｐ＿ＴＸ＿ｅＮＢ（ｙ）は、隣接する基地局装置１０（ｙ）の送信電力である。ＲＳＲＰ（ｙ，ｕ）は、端末装置３０（ｕ）が測定した隣接する基地局装置１０（ｙ）からの受信電力である。パスロス推定部１１４は、パスロスを算出する対象の端末装置３０ごとに式（４）を用いてパスロスを算出し、算出したパスロスと、基地局装置１０（ｙ）を示す情報とを含む隣接基地局パスロス情報を干渉電力推定部１１６に出力する。
【００４０】
受信電力推定部１１５は、送信電力推定部１１３から入力される推定送信電力情報と、入力情報取得部１１１から入力される測定情報とに基づいて、設定候補情報が示す送信電力パラメータを設定した際における、自装置と接続している端末装置３０から受信する信号の受信電力の推定値を算出する。また、受信電力推定部１１５は、算出した受信電力の推定値と、当該推定値を算出したときの設定候補情報とを対応付けた推定受信電力情報を基地局管理サーバ２０にネットワーク通信部１３を通じて送信する。
【００４１】
受信電力推定部１１５における、受信電力を推定する算出方法を以下に示す。
送信電力パラメータを、設定情報が示す送信電力パラメータから設定候補情報が示す送信電力パラメータに変更した際における送信電力の差ΔＰ＿ＰＵＳＣＨ（ｘ，ｕ，ｉ）［ｄＢ］を次式（５）により算出する。
【００４２】
【数５】
0005378337.tif 000006
【００４３】
式（５）にて算出した送信電力パラメータの変更に伴う送信電力差ΔＰ＿ＰＵＳＣＨ（ｘ，ｕ，ｉ）と、測定情報とから、送信電力パラメータを変更したときの各サブフレーム（ｉ）における各端末装置３０からの推定受信電力Ｐ’＿ＲＸ（ｘ，ｕ，ｉ）［ｍＷ］を、次式（６）により算出する。
【００４４】
【数６】
0005378337.tif 000007
【００４５】
ここで、Ｐ＿ＲＸ（ｘ，ｕ，ｉ）は、測定情報が示すアンテナ合成後の受信電力である。なお、次式（７）を用いて、端末装置３０ごとの推定平均受信電力Ｐ＿ＲＸ’［ｍＷ］を算出して、受信電力の推定値としてもよい。
【００４６】
【数７】
0005378337.tif 000008
【００４７】
ここで、Ｎ＿ａｓｓｉｇｎ（ｘ，ｕ）は、基地局装置１０（ｘ）と接続している端末装置３０（ｕ）が、算出区間Ｉにおいて無線リソースを割り当てられたサブフレームの数である。
【００４８】
干渉電力推定部１１６は、送信電力推定部１１３から入力される推定送信電力情報と、パスロス推定部１１４から入力される隣接基地局パスロス情報とに基づいて、設定情報が示す送信電力パラメータから設定候補情報が示す送信電力パラメータに変更した際における、隣接する基地局装置１０が、自装置と接続している端末装置３０から受信する信号の受信電力（干渉電力）の推定値を算出する。また、干渉電力推定部１１６は、算出した推定値と、当該推定値を算出した際の設定候補情報とを対応付けた推定干渉電力情報を基地局管理サーバ２０にネットワーク通信部１３を通じて送信する。
【００４９】
図４は、干渉電力推定部１１６が算出する干渉電力の推定値の概要を示す図である。同図に示すように、自装置（ｘ）と接続している端末装置３０（ｕ）が送信する信号により、隣接する基地局装置１０（ｙ）において干渉を受ける。干渉電力推定部１１６は、端末装置３０（ｕ）の推定された送信電力と、端末装置３０（ｕ）と基地局装置１０（ｙ）との間のパスロスとから、基地局装置１０（ｙ）における干渉電力の推定値を算出する。
【００５０】
干渉電力推定部１１６における具体的な算出方法を以下に示す。
干渉電力推定部１１６は、自装置（ｘ）に接続された端末装置３０であって、パスロス推定部１１４において隣接する基地局装置１０（ｙ）とのパスロス情報が取得された端末装置３０に対して、設定情報に基づいた端末装置３０（ｕ）から隣接する基地局装置１０（ｙ）への干渉電力の推定値である推定干渉電力Ｐ＿ＲＸ（ｘ→ｙ）［ｍＷ］を次式（８）により算出する。
【００５１】
【数８】
0005378337.tif 000009
【００５２】
ここで、Ｎ＿Ｉは、算出区間Ｉにおけるサブフレーム数である。
同様に、干渉電力推定部１１６は、設定候補情報に基づいた端末装置３０（ｕ）から隣接する基地局装置１０（ｙ）への干渉電力の推定値である推定干渉電力Ｐ＿ＲＸ’（ｘ→ｙ）［ｍＷ］を次式（９）により算出する。
【００５３】
【数９】
0005378337.tif 000010
【００５４】
干渉電力推定部１１６は、式（８）及び式（９）により算出した推定干渉電力Ｐ＿ＲＸ（ｘ→ｙ）、Ｐ＿ＲＸ’（ｘ→ｙ）と、推定干渉電力を算出した際の設定情報、設定候補情報とを対応付けた推定干渉電力情報を基地局管理サーバ２０にネットワーク通信部１３を通じて送信する。
【００５５】
図５は、本実施形態における基地局管理サーバ２０の構成を示す概略ブロック図である。同図に示すように、基地局管理サーバ２０は、隣接している基地局装置１０のリストを記憶している隣接基地局情報記憶部２１と、ネットワーク４０を介して各基地局装置１０と通信をするネットワーク通信部２２と、基地局装置１０において算出された推定受信電力情報、及び推定干渉電力情報とに基づいて各基地局装置１０における通信品質を推定する通信品質推定部２３と、通信品質推定部２３が推定する通信品質に基づいて各基地局装置１０を制御する基地局制御部２４とを備えている。
【００５６】
隣接基地局情報記憶部２１は、基地局装置１０ごとに、隣接している基地局装置１０のリストを記憶している。ネットワーク通信部２２は、ネットワーク４０を介して、各基地局装置１０と通信をし、各基地局装置１０から受信する推定受信電力情報、及び推定干渉電力情報とを通信品質推定部２３に出力する。
通信品質推定部２３は、ネットワーク通信部２２から入力される推定受信電力情報、及び推定干渉電力情報と、隣接基地局情報記憶部２１に記憶されている隣接基地局リストとに基づいて、各基地局装置１０における通信品質の推定を行う。
【００５７】
以下、通信品質推定部２３による通信品質の推定について説明する。
なお、ここでは、通信品質を示す指標をＳＩＲ（Signal to Interference Ratio；信号電力対干渉電力比）とした場合について説明する。
通信品質推定部２３は、ネットワーク通信部２２から入力される推定受信電力情報、及び推定干渉電力情報を用いて、設定情報が示す送信電力パラメータ（以下、設定値）から設定候補情報が示す送信電力パラメータ（設定候補値）に送信電力パラメータを変更した際における、各基地局装置１０と当該基地局装置１０に接続する端末装置３０との間のＳＩＲの推定値を端末装置３０ごとに算出する。また、通信品質推定部２３は、ＳＩＲの推定値と、当該推定値を算出した際の設定候補情報とを対応付けた推定通信品質情報を基地局制御部２４に出力する。
【００５８】
通信品質推定部２３は、次式（１０）によりＳＩＲの推定値である推定通信品質ＳＩＲ’（ｘ，ｕ，ｉ）をサブフレームごとに算出する。
【００５９】
【数１０】
0005378337.tif 000011
【００６０】
なお、次式（１１）により、端末装置３０ごとの推定通信品質ＳＩＲ’（ｘ，ｕ）を算出するようにしてもよい。
【００６１】
【数１１】
0005378337.tif 000012
【００６２】
ここで、推定受信電力Ｐ’＿ＲＸは、推定受信電力情報に含まれる基地局装置１０において算出された推定受信電力である。また、Ｐ’＿Ｉは、次式（１２）により表される干渉電力値［ｍＷ］である。
【００６３】
【数１２】
0005378337.tif 000013
【００６４】
式（１２）において、干渉電力Ｐ＿Ｉ＿ｍｅａｓｕｒｅｄ［ｍＷ］は、ＤＭ−ＲＳ（Demodulation Reference Signal；伝搬路推定用参照信号）を用いて基地局装置１０が測定した干渉電力であり、次式（１３）により算出される。
【００６５】
【数１３】
0005378337.tif 000014
【００６６】
ここで、ｒは、リソースブロック（ＲＢ）を識別する識別子である。Ｒは、基地局装置１０（ｘ）におけるＰＵＳＣＨに割当可能なＲＢの集合である。Ｎ＿ＰＵＳＣＨは、ＰＵＳＣＨに割当可能なＲＢの数である。Ｐ＿Ｉ＿ＤＭＲＳ（ｘ，ｉ，ｒ）は、基地局装置１０（ｘ）における、算出区間Ｉのうちのサブフレームｉ、当該サブフレームｉに含まれるリソースブロックｒにおける干渉電力である。
また、式（１２）において、変化量ΔＰ＿Ｉ＿ｅｓｔ［ｍＷ］は、設定値から設定候補値に変更した際に、推定される干渉電力の変化量である。また、変化量ΔＰ＿Ｉ＿ｅｓｔは、次式（１４）により算出される。
【００６７】
【数１４】
0005378337.tif 000015
【００６８】
ここで、Ｐ’＿Ｉ＿ｅｓｔ（ｘ）と、Ｐ＿Ｉ＿ｅｓｔ（ｘ）とは、次式（１５）、式（１６）とにより算出される。
【００６９】
【数１５】
0005378337.tif 000016
【００７０】
【数１６】
0005378337.tif 000017
【００７１】
ここで、Ｐ＿ＲＸ（ｙ→ｘ）は、基地局装置１０（ｙ）において設定値を用いたとき、基地局装置１０（ｙ）に隣接する基地局装置１０（ｘ）が、基地局装置１０（ｙ）と接続している端末装置３０から受ける干渉の干渉電力の推定値であり、基地局装置１０（ｙ）において算出された推定干渉電力情報に含まれる値である。
【００７２】
また、Ｐ’＿ＲＸ（ｙ→ｘ）は、基地局装置１０（ｙ）において設定候補値を用いたとき、基地局装置１０（ｙ）に隣接する基地局装置１０（ｘ）が、基地局装置１０（ｙ）と接続している端末装置３０から受ける干渉の干渉電力の推定値であり、基地局装置１０（ｙ）において算出された推定干渉電力情報に含まれる値である。
また、式（１５）及び（１６）におけるＮｉｇｈｂｏｕｒＬｉｓｔは、隣接基地局情報記憶部２１に記憶されている基地局装置１０ごとの当該基地局装置１０に隣接して配置されている基地局装置１０のリストである。
【００７３】
上述のように、通信品質推定部２３は、式（１０）〜式（１６）を用いることにより、送信電力パラメータを変化させた際のＳＩＲの推定値を算出する。また、通信品質推定部２３は、ＳＩＲの推定値と、当該推定値を算出した際の設定候補情報とを対応付けた推定通信品質情報を基地局制御部２４に出力する。
【００７４】
基地局制御部２４は、通信品質推定部２３が推定する通信品質に基づいて各基地局装置１０を制御する制御信号を生成して、ネットワーク通信部２２を通じて送信する。
例えば、基地局制御部２４は、通信品質推定部２３が算出した通信品質情報を用いて、各端末装置３０のＳＩＲの平均値が、予め定めたしきい値以上となる設定候補情報を基地局装置１０ごとに選択する。そして、基地局制御部２４は、選択した設定候補情報が示す送信電力パラメータを新たな送信出力パラメータに設定させる制御信号を各基地局装置１０にネットワーク通信部２２を通じて送信する。
【００７５】
本実施形態の無線通信システム１によれば、各基地局装置１０において、送信電力推定部１１３が、当該基地局装置１０と接続している端末装置３０それぞれのサブフレームごとに、送信電力パラメータを現在の設定値から設定候補値に変更した場合における送信電力の推定値の変化量ΔＰ＿ＰＵＳＣＨ（ｘ，ｕ，ｉ）を算出する。そして、受信電力推定部１１５が、端末装置３０それぞれのサブフレームごとに、測定情報により示される受信電力Ｐ＿ＲＸ（ｘ，ｕ，ｉ）の測定値と、算出した変化量ΔＰ＿ＰＵＳＣＨ（ｘ，ｕ，ｉ）との和に基づいて、送信電力パラメータを現在の設定値から設定候補値に変更した場合における推定受信電力Ｐ’＿ＲＸ（ｘ，ｕ，ｉ）を算出する。
【００７６】
このように、実測値である受信電力Ｐ＿ＲＸ（ｘ，ｕ，ｉ）を用いて、設定候補値を適用した場合の推定受信電力Ｐ’＿ＲＸ（ｘ，ｕ，ｉ）を算出するので、無線通信システム１が運用されている状況に即した受信電力の推定を行うことができ、各基地局装置１０における受信電力の推定値の精度を向上させることができる。すなわち、実際の端末装置３０の分布に基づいて推定受信電力Ｐ’＿ＲＸ（ｘ，ｕ，ｉ）を算出するので、各基地局装置１０における受信電力の推定値の精度を向上させることができる。
また、計算機シミュレーションにおいてパラメータ化されない要因を含んで受信電力の推定が行われることになるので、各基地局装置１０における受信電力の推定値の精度を向上させることができる。
【００７７】
また、干渉電力推定部１１６は、送信電力推定部１１３が算出した自装置と接続している端末装置３０の送信電力の推定値と、ＭＲ情報から算出するパスロスとに基づいて、自装置と隣接している基地局装置１０に対する干渉電力の推定値を算出する。このように、無線通信システム１が運用されている状況に即したＭＲ情報より算出するパスロスを用いることにより、実際の端末装置３０の分布に基づいて干渉電力を算出するので、各基地局装置１０における干渉電力の推定値の精度を向上させることができる。また、干渉電力の推定値を算出においても、実測値である干渉電力Ｐ＿Ｉ＿ｍｅａｓｕｒｅｄを用いるようにしたので、干渉電力Ｐ’＿Ｉには、計算機シミュレーションにおいてパラメータ化されない要因を含んで干渉電力の推定を行うことなり、各基地局装置１０における干渉電力の推定値の精度を向上させることができる。
【００７８】
そして、各基地局装置１０における受信電力の推定値、及び各基地局装置１０に対する干渉電力の推定値の精度を向上させることにより、これらの推定値を用いて算出する通信品質の推定値の精度も向上させることができる。
【００７９】
（第２実施形態）
次に、第２実施形態における無線通信システムについて説明する。第２実施形態における無線通信システムは、基地局装置が、第１実施形態の無線通信システム１が具備する基地局装置１０と異なる。なお、基地局管理サーバの構成は、第１実施形態の基地局管理サーバ２０（図５）と同じ構成であるので、その説明を省略する。
【００８０】
図６は、第２実施形態における基地局装置５０の構成を示す概略ブロック図である。同図に示すように、基地局装置５０は、送信電力パラメータを変更するときの推定受信電力、推定干渉電力、及び推定雑音電力を算出する無線電力推定部５１と、端末装置３０と通信を行う無線通信部１２と、ネットワーク４０を介して他の基地局装置５０及び基地局管理サーバ２０と通信をするネットワーク通信部１３とを備えている。
【００８１】
無線電力推定部５１は、入力情報取得部１１１、設定候補記憶部１１２、送信電力推定部１１３、パスロス推定部１１４、受信電力推定部１１５、干渉電力推定部１１６、雑音電力推定部５１７を有している。また、無線電力推定部５１は、雑音電力推定部５１７を有している点が、第１実施形態の無線電力推定部１１（図２）と異なっている。以下、第１実施形態の無線電力推定部１１と同じ構成には同じ符号を付して、その説明を省略し、異なる構成である雑音電力推定部５１７について説明する。
【００８２】
雑音電力推定部５１７は、無線通信部１２において受信された信号に基づいて、雑音電力密度や、雑音指数（ＮＦ；Noise Figure）などを測定して、１つのリソースブロックあたりの雑音電力の推定値を算出する。また、雑音電力推定部５１７は、ネットワーク通信部１３を通じて、算出した雑音電力の推定値を示す推定雑音電力情報を基地局管理サーバ２０に送信する。雑音電力密度や、雑音指数（ＮＦ；Noise Figure）などの測定は、端末装置３０との通信が行われていない、又はほとんど行われていない時間帯に行うようにしてもよい。また、雑音電力密度や、雑音指数に、予め定められた設定値を用いるようにしてもよい。
【００８３】
基地局装置５０が雑音電力推定部５１７を有することにより、基地局管理サーバ２０の通信品質推定部２３は、通信品質を示す指標としてＳＩＮＲ（Signal to Interference and Noise Ratio；信号電力対干渉及び雑音電力比）を算出することができる。
具体的には、通信品質推定部２３が、式（１０）及び式（１１）に替えて、次式（１７）及び式（１８）を用いることによりＳＩＮＲの推定値を算出することができる。
【００８４】
【数１７】
0005378337.tif 000018
【００８５】
【数１８】
0005378337.tif 000019
【００８６】
ここで、Ｐ＿Ｎ（ｘ）は、雑音電力推定部５１７において算出された雑音電力の推定値である。
これにより、第２実施形態の無線通信システムは、ＳＩＮＲを指標として通信品質を推定することができ、雑音電力が通信品質に与える影響が大きい環境において、第１実施形態の無線通信システム１より、通信品質の推定値の精度を向上させることができる。
なお、式（１２）において、干渉電力Ｐ’＿Ｉ（ｘ）が負の値になった場合には、「０」として扱うようにしてもよい。
【００８７】
（第３実施形態）
以下、第３実施形態における無線通信システムについて説明する。第３実施形態における無線通信システムは、基地局装置が第１実施形態の無線通信システム１が具備する基地局装置１０と異なる。なお、基地局管理サーバの構成は、第１実施形態の基地局管理サーバ２０（図５）と同じ構成であるので、その説明を省略する。
【００８８】
図７は、第３実施形態における基地局装置６０の構成を示す概略ブロック図である。同図に示すように、基地局装置６０は、送信パラメータを変更するときの推定受信電力、及び推定干渉電力を算出する無線電力推定部６１と、端末装置３０と通信を行う無線通信部１２と、ネットワーク４０を介して他の基地局装置６０及び基地局管理サーバ２０と通信をするネットワーク通信部１３とを備えている。
【００８９】
無線電力推定部６１は、入力情報取得部１１１、設定候補記憶部１１２、送信電力推定部６１３、パスロス推定部１１４、受信電力推定部１１５、干渉電力推定部１１６、割当情報補正部６１７を有している。また、無線電力推定部６１は、割当情報補正部６１７を有している点と、送信電力推定部１１３（図２）に替えて送信電力推定部６１３を有している点とが、第１実施形態の無線電力推定部１１と異なっている。以下、第１実施形態の無線電力推定部１１と同じ構成に付いては同じ符号を付して、その説明を省略し、異なる構成である割当情報補正部６１７と、送信電力推定部６１３とについて説明する。
【００９０】
割当情報補正部６１７は、割当候補情報生成部６１８と、管理テーブル記憶部６１９とを有している。割当候補情報生成部６１８は、無線通信部１２から入力される端末情報と設定情報ごとに、算出区間情報が示す期間における割当情報の平均（単純平均又は平滑化平均など）を算出する。また、割当候補情報生成部６１８は、平均値を算出した際の端末情報及び設定情報と、算出した平均値である割当候補情報を対応付けて管理テーブル記憶部６１９に記憶させる。
管理テーブル記憶部６１９には、割当候補情報生成部６１８が算出した割当候補情報と、端末情報及び設定情報とを対応付けた管理テーブルを記憶している。
端末情報は、例えば、下りＷｉｄｅＢａｎｄＣＱＩ、自装置と端末装置３０のパスロス、自装置とパスロス推定部１１４で算出した隣接する基地局装置６０と端末装置３０とのパスロスの差、ＲＳＲＰ、ＲＳＲＱ、ＲＳＳＩ、バッファ量などである。
【００９１】
図８は、本実施形態における管理テーブルの一例を示す図である。同図に示すように、管理テーブルには、端末情報（図においてはＷｉｄｅＢａｎｄＣＱＩ）と、設定情報（図においては補正係数α）ごとに、割当情報（図においては割当ＲＢ数）の平均値が対応付けられている。例えば、管理テーブルは、ＷｉｄｅＢａｎｄＣＱＩが３であり、かつ補正係数αが０．８であるとき、過去の割当情報から平均的に５個のＲＢが割り当てられること（Ｍ＿ＰＵＳＣＨ＝５）を示している。
【００９２】
すなわち、割当情報補正部６１７は、端末情報と、割当情報と、過去の送信電力パラメータとの対応関係から、ある割当情報及び端末情報が与えられた際に、算出区間情報が示す期間において期待される割当情報を過去の割当情報から算出して記憶する。
なお、図８においては、ＷｉｄｅＢａｎｄＣＱＩと補正係数αとに対応するＲＢ数を算出して記憶する例を示したが、これに限らず、他の組み合わせでもよい。また、設定情報の変化量に割当情報を対応付けて、設定情報に対するオフセット量を管理テーブル記憶部６１７に記憶させるようにしてもよい。
【００９３】
図７に戻って、送信電力推定部６１３は、設定候補記憶部１１２に記憶されている設定候補情報と、割当情報補正部６１７に記憶されている管理テーブルと、入力情報取得部１１１から入力される設定情報、算出区間情報、自局パスロス情報とに基づいて、設定情報が示す送信電力パラメータから設定候補情報が示す送信電力パラメータ（以下、設定候補値）に変更した際における、自装置と接続している端末装置３０の送信電力の推定値を算出する。また、送信電力推定部６１３は、端末装置３０の送信電力の推定値を算出する際に、設定候補値に対応する割当候補情報を管理テーブル記憶部６１９から読み出して、端末装置３０の送信電力の推定値の算出に用いる。
具体的には、送信電力推定部６１３は、次式（１９）を用いて、送信電力の推定値［ｄＢｍ］を算出する。
【００９４】
【数１９】
0005378337.tif 000020
【００９５】
ここで、Ｍ＿ＰＵＳＣＨ’は、設定候補値に対応する割当候補情報であり、設定候補値を用いた際に期待される割当情報を示している。
【００９６】
第１実施形態の無線電力推定部１１、及び第２実施形態の無線電力推定部５１では、設定候補情報を用いた際の送信電力の推定値を算出する際に、設定情報に対応した割当情報が用いられていた。これに対して、本実施形態の無線電力推定部６１では、設定候補情報を用いた際の割当情報を、過去の割当情報に基づく統計情報を用いて補正した割当候補情報を利用して、送信電力の推定値を算出するので、実際の運用により即した送信電力の推定値を算出することができ、送信電力の推定値の精度を高めることができる。
【００９７】
すなわち、本実施形態の無線電力推定部６１は、割当情報補正部６１７が設定候補情報に応じて割当情報を補正した割当候補情報を算出し、送信電力推定部６１３が算出された割当候補情報を用いて送信電力の推定値を算出するようにした。これにより、無線電力推定部６１は、送信電力の推定値を無線通信システムの運用に即した値にすることができ、送信電力の推定値の精度を向上させることができる。
【００９８】
また、各基地局装置６０において過去の無線リソースの割当情報より推定受信電力情報及び推定干渉電力情報を算出することにより、基地局管理サーバ２０は、時系列で変動するユーザ配置、トラヒック分布、基地局配置などの環境の変動に追従した通信品質を高い精度で推定することができる。また、現在の送信電力パラメータ（設定情報）での測定値に対し、期待される割当情報の変化量を考慮することで、想定外の干渉においても精度の高い推定が可能となる。
【００９９】
なお、送信電力推定部６１３は、自装置の端末装置３０との混雑の度合いを示す指標（無線リソースの使用率や、発生トラヒック量など）が予め定めたしきい値以上である場合、割当候補情報を用いずに、入力情報取得部１１１が取得した割当情報を用いて送信電力の推定値を算出するようにしてもよい。例えば、自装置の無線リソースの使用率や、発生トラヒック量などが高いとき、すなわち混雑しているときには、各端末装置３０に対する無線リソースの割当ＲＢ数が変わらないことが多いので、割当情報の補正を行う必要性が低い。そこで、送信電力推定部６１３が混雑の度合に基づいて補正の必要性を判定し、混雑しているときには補正を省略することにより、無線電力推定部６１における処理量を削減することができる。
【０１００】
（第４実施形態）
以下、第３実施形態における無線通信システムについて説明する。第３実施形態における無線通信システムは、基地局装置が第１実施形態の無線通信システム１が具備する基地局装置１０と異なる。なお、基地局管理サーバの構成は、第１実施形態の基地局管理サーバ２０（図５）と同じ構成であるので、その説明を省略する。
【０１０１】
図９は、第４実施形態における基地局装置７０の構成を示す概略ブロック図である。同図に示すように、基地局装置７０は、送信パラメータを変更するときの推定受信電力、及び推定干渉電力を算出する無線電力推定部７１と、端末装置３０と通信を行う無線通信部１２と、ネットワーク４０を介して他の基地局装置７０及び基地局管理サーバ２０と通信をするネットワーク通信部１３とを備えている。
【０１０２】
無線電力推定部７１は、入力情報取得部１１１、設定候補記憶部１１２、送信電力推定部７１３、パスロス推定部１１４、受信電力推定部１１５、干渉電力推定部１１６、無線スケジューラ７１７を有している。また、無線電力推定部７１は、無線スケジューラ７１７を有している点と、送信電力推定部１１３（図２）に替えて送信電力推定部７１３を有している点とが、第１実施形態の無線電力推定部１１と異なっている。以下、第１実施形態の無線電力推定部１１と同じ構成に付いては同じ符号を付して、その説明を省略し、異なる構成である無線スケジューラ７１７と、送信電力推定部７１３とについて説明する。
【０１０３】
無線スケジューラ７１７は、無線通信部１２における無線リソースの割り当てを模擬（シミュレート）し、送信電力推定部７１３から入力される設定情報又は設定候補情報に基づいて無線リソースの割り当てを行い、割り当て結果である割り当て候補情報を送信電力推定部７１３に出力する。
【０１０４】
送信電力推定部７１３は、設定候補記憶部１１２に記憶されている設定候補情報と、入力情報取得部１１１から入力される設定情報、算出区間情報、自局パスロス情報とに基づいて、設定情報が示す送信電力パラメータから設定候補情報が示す送信電力パラメータ（以下、設定候補値）に変更した際における、自装置と接続している端末装置３０の送信電力の推定値を算出する。また、送信電力推定部７１３は、端末装置３０の送信電力の推定値を算出する際に、無線スケジューラ７１７から入力される設定候補値に対応する割当候補情報を端末装置３０の送信電力の推定値の算出に用いる。
具体的には、送信電力推定部７１３は、次式（２０）を用いて、送信電力の推定値［ｄＢｍ］を算出する。
【０１０５】
【数２０】
0005378337.tif 000021
【０１０６】
ここで、割当ＲＢ数Ｍ＿ＰＵＳＣＨ’、係数Δ＿ＴＦ’、 送信電力コマンドｆ’は、設定候補値が示す送信電力パラメータに基づいて、無線スケジューラ７１７が算出した無線リソースの割り当て結果である。
【０１０７】
本実施形態の無線電力推定部７１は、無線スケジューラ７１７が無線通信部１２の無線リソース割り当てをシミュレートして設定候補情報に応じた割当候補情報を算出し、送信電力推定部７１３が算出された割当候補情報を用いて送信電力の推定値を算出するようにした。これにより、無線電力推定部７１は、送信電力の推定値を無線通信システムの運用に即した値にすることができ、送信電力の推定値の精度を向上させることができる。
【０１０８】
なお、上述の各実施形態において、無線電力推定部１１（５１、６１、７１）は、各基地局装置１０（５０、６０、７０）に備えられている構成を説明したが、基地局装置１０（５０、６０、７０）ごとに設けられる独立した装置としてもよい。
また、第２実施形態の基地局装置５０が備える雑音電力推定部５１７を、第３実施形態の基地局装置６０、又は第４実施形態の基地局装置７０に設けるようにして、基地局管理サーバ２０が通信品質を表す指標としてＳＩＮＲを算出するようにしてもよい。
【０１０９】
また、上述の各実施形態において、無線電力推定部１１（５１、６１、７１）が有する設定候補記憶部１１２は、予め設定候補情報を記憶している構成を説明したが、これに限ることなく、設定候補情報が基地局管理サーバ２０から配信されるようにしてもよい。また、上述の各実施形態において、各基地局装置１０が無線電力推定部１１（５１、６１、７１）を備えている構成を説明したが、これに限ることなく、各無線電力推定部１１（５１、６１、７１）を独立した装置として構成してもよいし、基地局管理サーバ２０が各無線電力推定部１１（５１、６１、７１）を備えるようにしてもよい。この場合、受信電力及び干渉電力の推定に用いられる各種の入力情報は、ネットワーク４０を介して無線電力推定部１１（５１、６１、７１）に入力されるようにしてもよい。
【０１１０】
上述の基地局装置１０（５０、６０、７０）は内部に、コンピュータシステムを有していてもよい。その場合、上述した入力情報取得部、設定候補記憶部、送信電力推定部、パスロス推定部、受信電力推定部、干渉電力推定部、雑音電力推定部、割り当て候補情報生成部、管理テーブル記憶部、無線スケジューラの各構成の処理の過程は、プログラムの形式でコンピュータ読み取り可能な記録媒体に記憶されており、このプログラムをコンピュータが読み出して実行することによって、上記処理が行われることになる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【符号の説明】
【０１１１】
１…無線通信システム
１０、５０、６０、７０…基地局装置
１１、５１、６１、７１…無線電力推定部
１２…無線通信部
１３、２２…ネットワーク通信部
２０…基地局管理サーバ
２１…隣接基地局情報記憶部
２３…通信品質推定部
２４…基地局制御部
３０…端末装置
４０…ネットワーク
１１１…入力情報取得部
１１２…設定候補記憶部
１１３、６１３、７１３…送信電力推定部
１１４…パスロス推定部
１１５…受信電力推定部
１１６…干渉電力推定部
５１７…雑音電力推定部
６１７…割当情報補正部
６１８…割当候補情報生成部
６１９…管理テーブル記憶部
７１７…無線スケジューラ
【図１】
0005378337.tif 000022
【図２】
0005378337.tif 000023
【図３】
0005378337.tif 000024
【図４】
0005378337.tif 000025
【図５】
0005378337.tif 000026
【図６】
0005378337.tif 000027
【図７】
0005378337.tif 000028
【図８】
0005378337.tif 000029
【図９】
0005378337.tif 000030